(57)【要約】      （修正有）【課題】運搬や設置が容易で、軽量かつ見栄えのする冠婚葬祭用供物装置を提供する。【解決手段】冠婚葬祭用供物装置１は、供物５が盛り付けられる盛り付け台２と、盛り付け台の背面に配置され、盛り付け台を支持する支持部と、支持部の周囲に設けられる装飾部４と、を備え、供物は、フリーズドライの食品である。供物が盛り付けられた盛り付け台を覆い、供物が視認可能なカバー６をさらに有し、支持部は、盛り付け台に対向して配置される背面部、及び背面部の外縁から盛り付け台に向かって延び、一部に切り込み部が形成された側面部を有し、カバーの周縁部は、側面部の切り込み部に係止されることが好ましい。【選択図】図１
0003227578.tif 000002
【実用新案登録請求の範囲】
【請求項１】
供物が盛り付けられる盛り付け台と、
前記盛り付け台の背面に配置され、前記盛り付け台を支持する支持部と、
前記支持部の周囲に設けられる装飾部と、を備え、
前記供物は、フリーズドライの食品である冠婚葬祭用供物装置。
【請求項２】
前記供物が盛り付けられた前記盛り付け台を覆い、前記供物が視認可能なカバーをさらに有し、
前記支持部は、前記盛り付け台に対向して配置される背面部、及び前記背面部の外縁から前記盛り付け台に向かって延び、一部に切り込み部が形成された側面部を有し、
前記カバーの周縁部は、前記側面部の前記切り込み部に係止される、請求項１に記載の冠婚葬祭用供物装置。
【請求項３】
前記カバーは、熱収縮可能なフィルムにより構成され、熱収縮により前記食品を前記盛り付け台に圧接する、請求項２に記載の冠婚葬祭用供物装置。
【請求項４】
前記装飾部は、前記支持部の周囲に複数並んで取り付けられる造花である、請求項１〜３のいずれか１項に記載の冠婚葬祭用供物装置。
【考案の詳細な説明】
【技術分野】
【０００１】
本考案は、冠婚葬祭用供物装置に関する。
【背景技術】
【０００２】
従来、葬式等の冠婚葬祭の際に、弔意や祝意等を示すため、花輪を送る慣習がある。生花は重く、時間の経過とともに萎れるため、容器に入った飲料を架台に載せることが提案されている（特許文献１参照）。
【先行技術文献】
【特許文献】
【０００３】
【特許文献１】実開昭６１−１３９６８４号公報
【考案の概要】
【考案が解決しようとする課題】
【０００４】
飲料は重量があり、運搬や設置の負担が大きかった。軽量でかつ外観上見栄えのする供物装置が求められている。
【課題を解決するための手段】
【０００５】
本考案は、供物が盛り付けられる盛り付け台と、前記盛り付け台の背面に配置され、前記盛り付け台を支持する支持部と、前記支持部の周囲に設けられる装飾部と、を備え、前記供物は、フリーズドライの食品である冠婚葬祭用供物装置に関する。
【０００６】
また、前記供物が盛り付けられた前記盛り付け台を覆い、前記供物が視認可能なカバーをさらに有し、前記支持部は、前記盛り付け台に対向して配置される背面部、及び前記背面部の外縁から前記盛り付け台に向かって延び、一部に切り込み部が形成された側面部を有し、前記カバーの周縁部は、前記側面部の前記切り込み部に係止されることが好ましい。
【０００７】
また、前記カバーは、熱収縮可能なフィルムにより構成され、熱収縮により前記食品を前記盛り付け台に圧接することが好ましい。
【０００８】
また、前記装飾部は、前記支持部の周囲に複数並んで取り付けられる造花であることが好ましい。
【考案の効果】
【０００９】
本考案によれば運搬や設置が容易で、軽量かつ見栄えのする冠婚葬祭用供物装置を提供することができる。
【図面の簡単な説明】
【００１０】
【図１】本実施形態の冠婚葬祭用供物装置の正面図である。
【図２】本実施形態の冠婚葬祭用供物装置の側面図である。
【図３】本実施形態における盛り付け台の平面図である。
【図４】本実施形態における支持部の展開平面図である。
【考案を実施するための形態】
【００１１】
以下、本考案の実施形態について図面を参照しながら詳細に説明する。
図１は、冠婚葬祭用供物装置１の正面図である。冠婚葬祭用供物装置１は、例えば、葬式の際に弔問者等が送る物品である。冠婚葬祭用供物装置１は、不図示の架台に載せたり、送り主の氏名等を記載した紙を添えたりして葬式の会場や喪主の家等に設置されるものである。冠婚葬祭用供物装置１は、盛り付けた部分が視認されやすいように、盛り付け面を表面として起立させるか、斜めにして設置される。図１に示すように、冠婚葬祭用供物装置１は、盛り付け台２と、支持部３（図２参照）と、装飾部４と、食品５と、カバー６と、を備える。
【００１２】
図１及び図３に示すように、盛り付け台２は、略円形の平坦な段ボール紙である。盛り付け台２の表面には、供物としての食品５が盛り付けられる。盛り付け台２は、表面と裏面に断面視略直線状の紙が配置され、表面と裏面との間に断面視で波型となるように凹凸が形成された紙が配置され、三層が接着された剛性の高い紙により構成される。図３に示すように、盛り付け台２は、盛り付け台本体２０と、ストッパー２１と、支持部係止孔２２と、を有する。
【００１３】
盛り付け台本体２０は、円形の板紙である。
ストッパー２１は、盛り付け台本体２０に形成される略長方形の切り込みである。ストッパー２１は、図２に示すように、盛り付け台本体２０に複数形成される。ストッパー２１は、複数形成されるストッパー２１の一対の長辺のうち、同じ側（図２中の上方）が盛り付け台本体２０を貫通する連続的な長い実線２１ａで切り込まれ、実線２１ａに対向する側（図２中の下方）が、短い貫通線と切り込みのない部分とが連続する破線２１ｂとで構成される。ストッパーの短辺は、いずれも貫通した実線２１ａである。ストッパー２１は、破線２１ｂ部分を基端として実線２１ａ部分を周囲から切り離し、切り離した部分を起立させることで、盛り付け台２に盛り付けた食品５の下端が起立させた部分を支持する。これにより、ストッパー２１は、食品５が下方にずれることを防止する。図２に示すように、ストッパー２１は、下方に多く形成されており、盛り付け台本体２０の盛り付け時の上下を表示する。ストッパー２１は、具体的には、盛り付け台本体２０の下方に五か所、上方に二か所形成されている。
【００１４】
支持部係止孔２２は、盛り付け台本体２０の周縁において中心から互いに略９０度の位置に配置される長孔である。支持部係止孔２２は、後述する支持部３に形成された爪が挿入されて、盛り付け台２と支持部３とを組み立てるための貫通孔である。
【００１５】
図１及び図２に示すように、盛り付け台２には、個包装された複数のフリーズドライの食品５が並べて配置される。食品５は、例えば味噌汁やスープ等、食品を凍結したままの状態で乾燥させる製法で製造された食品である。フリーズドライ製法で製造された食品５は、水分をほぼ含んでいない。
【００１６】
支持部３は、盛り付け台２の背面に配置され、台座を構成する部分である。支持部３は、盛り付け台２を支持する。支持部３は、不図示の架台に載せたり、壁に立てかけたりすることができるように一定の厚みを持って形成される。支持部３は、図４に示すように、背面部３１と、側面部３２と、係止部３３と、を有する。
【００１７】
背面部３１は、盛り付け台２の外周よりも内側に収まる寸法の八角形の平面である。背面部３１は、盛り付け台２と同じ段ボール紙により構成される。背面部３１は、盛り付け台２と対向する位置に配置される。
【００１８】
側面部３２は、背面部３１の八角形の外縁３１ａから盛り付け台２に向かって延びる面である。側面部３２は、冠婚葬祭用供物装置１の厚さ方向に延びる。図４に示すように、側面部３２は、側面部本体部３２０と、第１折り曲げ部３２１と、第２折り曲げ部３２２と、切り込み部３２４と、を有する。
【００１９】
側面部本体部３２０は、背面部３１の八角形の外縁３１ａから、それぞれ同じ幅で外側へ延びる長方形の部分であり、八つ形成されている。側面部本体部３２０は、支持部３を組み立てるとき、背面部３１の外縁３１ａから略直角に立ち上げるように折り曲げられる。側面部本体部３２０は、支持部３の側面として露出する部分である。側面部本体部３２０は、短手方向の長さが冠婚葬祭用供物装置１の厚さ方向の長さに対応する。
【００２０】
第１折り曲げ部３２１は、八つの側面部本体部３２０からさらに外側へ連続して延びる段ボール紙の一部である。第１折り曲げ部３２１と側面部本体部３２０との間には折り曲げ線３２３が形成され、折り曲げ線３２３を境界として第１折り曲げ部３２１を内側に折り曲げる。すると、第１折り曲げ部３２１は、側面部本体部３２０の裏側に位置し、側面部３２が二重の紙で構成されることとなる。図４に示すように第１折り曲げ部３２１は、八つの側面部本体部３２０からすべて同じ大きさで形成されていなくてよい。
【００２１】
第２折り曲げ部３２２は、背面部３１の外周に延びる段ボール紙のうち、側面部本体部３２０を長方形とする都合、互いに隣接する側面部本体部３２０と側面部本体部３２０との間に残る三角形の部分である。第２折り曲げ部３２２は、三角形の一辺３２２ａが側面部本体部３２０から連続していて、三角形の他の一辺３２２ｂは、隣接する側面部本体部３２０から切断されている。側面部本体部３２０を背面部３１から略直角に立ち上げるように折り曲げたときに、第２折り曲げ部３２２における切断されている側の三角形の辺が内側へ折り込まれる。
【００２２】
切り込み部３２４は、側面部本体部３２０の一部に切り込みが入れられて形成される部分である。切り込み部３２４は、第１切り込み部３２４１と、第２切り込み部３２４２とを有する。
【００２３】
第１切り込み部３２４１は、八つの側面部本体部３２０のうちの一つと、この一つの側面部本体部３２０から連続する一つの第１折り曲げ部３２１とに形成される略長方形の切り込みである。第１切り込み部３２４１は長方形で、長手方向が側面部本体部３２０の長手方向に沿って配置される。第１切り込み部３２４１は、組み立てたときに手を差し込んで運搬するための把持部を構成する。
【００２４】
第２切り込み部３２４２は、図２に示すように、支持部３を組み立てた状態で、支持部３の厚さ方向の中央部よりも盛り付け台２寄りに形成される切り込みである。第２切り込み部３２４２は、後述するカバー６を取り付ける際に、カバー６等を係止させるための凹部である。第２切り込み部３２４２は、図４の展開図により示されるように、側面部本体部３２０の短手方向の側縁に形成される第２短切り込み部３２４２ａと、側面部本体部３２０から第２折り曲げ部３２２にまたがって形成される第２長切り込み部３２４２ｂとにより形成される。
【００２５】
第２短切り込み部３２４２ａは、図４に示すように、外側が開放された略コの字型の切り欠きにより構成される。第２短切り込み部３２４２ａは、貫通して切り込まれる。
第２長切り込み部３２４２ｂは、長方形のうち長辺のみに切り込みが形成され、短辺は繋がった状態に形成される。第２折り曲げ部３２２における三角形の一辺３２２ａが、支持部３における八角形の角を形成するために外側に凸となるように折り曲げられる際、第２長切り込み部３２４２ｂは、長辺の長手方向における中央側が内側に凹むように折り曲げられる。折り曲げられた第２折り曲げ部３２２の上に、側面部本体部３２０の一つが重ねられると、第２短切り込み部３２４２ａが、第２長切り込み部３２４２ｂの半分に重なる。これにより、第２短切り込み部３２４２ａと第２長切り込み部３２４２ｂとが一つの第２切り込み部３２４２を形成する。
【００２６】
係止部３３は、側面部本体部３２０と、第１折り曲げ部３２１との間で、折り曲げ線３２３の幅方向中央側に形成される。係止部３３は、八つの側面部本体部３２０のうち、一つ置きで計四つの側面部本体部３２０に形成される。係止部３３は、折り曲げ線３２３の側面部本体部３２０側から第１折り曲げ部３２１側に向かって頂部がつぶれた円弧のように膨出し、湾曲した線が切り込まれて形成される。係止部３３を形成する線は、支持部３を構成する板紙を貫通して切り込まれる。第１折り曲げ部３２１が、支持部３の組み立て時に側面部本体部３２０の裏側に位置するように折り込まれると、係止部３３は、折り曲げ線３２３から上方へ起立する。支持部３が組み立てられた状態では、係止部３３は、側面部３２から上方へ突出する。係止部３３は、盛り付け台２に形成された支持部係止孔２２に挿入される。係止部３３は、支持部係止孔２２に挿入した後で盛り付け台２の盛り付け台本体２０の面に沿って折り曲げられる。これにより係止部３３が、支持部３と盛り付け台２とを係止させる。
【００２７】
カバー６は、食品５が視認可能な透明のフィルムで、かつ熱収縮可能な素材で構成される。カバー６は、フリーズドライの食品５が盛り付けられた盛り付け台２を覆う。カバー６は、盛り付け台２を覆った状態で加熱されて収縮し、食品５を盛り付け台２に圧接させる。カバー６の周縁部６１は、丸めて支持部３の第２切り込み部３２４２に押し込んで係止され、上から環状の輪ゴム６２で留められる。カバー６の周縁部６１が支持部３の第２切り込み部３２４２に押し込んで係止されることにより、盛り付け台２及び支持部３が互いに離れないように固定される。カバー６は熱による収縮と、輪ゴム６２で第２切り込み部３２４２に係止されることにより、盛り付け台２及び支持部３に固定される。
【００２８】
装飾部４は、支持部３の側面部３２の周囲に複数並んで取付けられる造花である。装飾部４は、柔らかい色紙を折って形成した紙製の花であってもよく、布や樹脂で形成した造花であってもよい。装飾部４は、冠婚葬祭に適した装飾ができれば、構成は問わない。
【００２９】
以上の冠婚葬祭用供物装置１は、例えば葬式や仏事の際に、会葬者から供物として喪主へ供される。冠婚葬祭用供物装置１に氏名等を記載した紙を設けて所定の期間展示される。その後、葬式等の儀式が終わったときに、カバー６を取り外してフリーズドライの食品５を儀式の列席者等が持ち帰ることができる。
【００３０】
本実施形態によれば、以下の効果が奏される。冠婚葬祭用供物装置１を、食品５が盛り付けられる盛り付け台２と、盛り付け台２の背面に配置され、盛り付け台２を支持する支持部３と、支持部３の周囲に設けられる装飾部４と、を含んで構成した。食品５を、フリーズドライの食品５により構成した。盛り付ける供物をフリーズドライの食品５とすることで、乾燥しているため軽量であり、運搬や設置の際の負担を軽減することができる。さらに、フリーズドライの食品５は長期にわたって保存が可能であるため、儀式の前後の長期間にわたって冠婚葬祭用供物装置１を設置しておくことが可能となる。また、フリーズドライの食品５は、中身を密閉した小さな個包装で製造されることが多い。盛り付け台２に多くの食品５を盛り付けておくことで、使用後に、より多くの会葬者に渡すことができる。
【００３１】
本実施形態によれば、食品５が盛り付けられた盛り付け台２を覆い、食品５が視認可能なカバー６をさらに含んで構成した。支持部３を、盛り付け台２に対向して配置される背面部３１、及び背面部３１の周囲から盛り付け台２に向かって延び、一部に第２切り込み部３２４２が形成された側面部３２を含んで構成した。カバー６の周縁部を、側面部３２の第２切り込み部３２４２に係止させた。食品５を盛り付けた盛り付け台２を、食品５が視認可能なカバー６で覆い、覆ったカバー６を支持部３に係止させることにより、食品５と盛り付け台２、支持部３を一体の物に形成することができる。これにより、食品５の視認性が向上するだけでなく、運搬や設置の際に一つの物を掴んで運ぶことができるようになるので、取り扱いが容易になる。
【００３２】
本実施形態によれば、カバー６を、熱収縮可能なフィルムにより構成され、熱収縮により食品５を盛り付け台２に圧接させた。カバー６を熱収縮させることで、食品５を盛り付け台２に圧接させることができるので、食品５を盛り付け台２に糊や粘着テープ等で個別に固定する必要がなくなる。
【００３３】
本実施形態によれば、装飾部４を、支持部３の周囲に複数並んで取り付けられる造花により構成した。支持部３の周囲に造花を設けることで、冠婚葬祭用供物装置１を長期間設置したり保存したりすることができる。食品５がフリーズドライの食品であることと併せて、冠婚葬祭用供物装置１の保存期間を長期化することができる。
【００３４】
本開示は上記実施形態に限定されるものではなく、変形、改良等は本開示に含まれる。上記実施形態では、盛り付け台２は円形で、支持部３は平面視八角形である形状を例に説明したが、これに限られない。盛り付け台及び支持部の形状は、意匠に応じて適宜変更してよい。盛り付け台２及び支持部３は、段ボール紙で構成されるものを例示説明したが、これに限られない。装飾部４の形状は、適宜変更してよい。
【符号の説明】
【００３５】
１  冠婚葬祭用供物装置
２  盛り付け台
３  支持部
４  装飾部
５  食品（供物）
６  カバー
３１  背面部
３１ａ  外縁
３２  側面部
６１  周縁部
３２４  切り込み部
【図１】
0003227578.tif 000003
【図２】
0003227578.tif 000004
【図３】
0003227578.tif 000005
【図４】
0003227578.tif 000006